(57)【要約】【課題】２種類以上の薬剤を別々に滅菌でき、薬剤調製の際における操作者の怪我や異物混入のおそれがなく、簡便かつ短時間に薬剤調製操作の可能なプレフィルドシリンジキットを提供すること。【解決手段】本発明のプレフィルドシリンジキット１０は、先端にオス型ルアーテーパーの注射針接続部５１を有する、内部に第１薬剤Ｄが収容された第１シリンジ２０と、前記注射針接続部５１と液密に接続可能なメス型ルアーテーパーの吐出口８１を有する、内部に第２薬剤Ｌが収容された第２シリンジ３０とからなり、第１シリンジ２０と第２シリンジ３０とは同軸上直列に配置されるとともに、前記注射針接続部５１と前記吐出口８１とが、封止手段４０により液密に封止されかつ、接続された構成よりなるものである。【選択図】　　　図１
2004089446.tif 000002
【特許請求の範囲】
【請求項１】
先端にオス型ルアーテーパーの注射針接続部を有する第１バレルおよび、該第１バレル内に液密かつ摺動可能に挿入された、プランジャーを結合可能な第１ガスケットからなる、内部に第１薬剤が収容された第１シリンジと、前記注射針接続部と液密に接続可能なメス型ルアーテーパーの吐出口を有する第２バレルおよび、該第２バレル内に液密かつ摺動可能に挿入された、プランジャーを結合可能な第２ガスケットからなる、内部に第２薬剤が収容された第２シリンジとからなり、前記第１シリンジと前記第２シリンジとが、同軸上直列に配置されるとともに、前記注射針接続部と前記吐出口とが、封止手段により液密に封止されかつ、接続されてなるプレフィルドシリンジキット。
【請求項２】
前記封止手段が、前記吐出口と嵌合するオス型ルアーテーパーの凸部を設けた先端と、前記注射針接続部と嵌合するメス型ルアーテーパーの凹部を設けた基端を有してなる略円筒形状の部材である請求項１記載のプレフィルドシリンジキット。
【請求項３】
前記封止手段が、前記凸部に嵌合した前記吐出口を同心円状に取り囲むスカート部を先端に有してなり、前記吐出口は、前記凸部と嵌合するとともに、前記スカート部とも嵌合してなる請求項２記載のプレフィルドシリンジキット。
【請求項４】
前記注射針接続部と前記吐出口とを接続したときに、前記注射針接続部の先端が当接することにより剥離するシール部材を、前記吐出口の基端円周部に溶着してなる請求項１〜３のいずれかに記載のプレフィルドシリンジキット。
【請求項５】
前記注射針接続部と前記吐出口とを接続したときに、前記第２バレル内に突出する前記注射針接続部の先端部分に、軸方向にスリットを設けてなる請求項４記載のプレフィルドシリンジキット。
【請求項６】
前記プランジャーを、前記第１ガスケットに予め結合してなる請求項１〜５のいずれかに記載のプレフィルドシリンジキット。
【請求項７】
前記第１薬剤が固形製剤であり、前記第２薬剤が液剤である請求項１〜６のいずれかに記載のプレフィルドシリンジキット。
【発明の詳細な説明】
【０００１】
【発明の属する技術分野】
本発明は、プレフィルドシリンジキットに関する。さらに詳しくは、粉末製剤または溶解液が収容されたシリンジと、溶解液が収容されたシリンジとからなるプレフィルドシリンジキットに関する。
【０００２】
【従来の技術】
液状の薬剤、すなわち薬液は、アンプルや、ゴム栓で密封されたバイアルなどの薬液容器に収容されている。そして、これらアンプルやバイアルに収容された薬液を注射する際には、アンプルの場合はアンプルをカットした後に、バイアルの場合はシリンジに取り付けた注射針でゴム栓を刺通した後に、薬液をシリンジ内に吸引し、ゴム栓の刺通に用いた注射針とは別の注射針を新たにシリンジに取り付け、患者に注射を行っている。
【０００３】
また、複数の薬剤を同一のシリンジ内に互いに分離して保存しておき、用時混合して用いる、所謂、複数成分混合型プレフィルドシリンジも実用化されている。現在市販されている複数成分混合型プレフィルドシリンジは、概ね図８に示すような２成分混合型である。すなわち、バレル２６０内を第１ガスケット２６１と第２ガスケット２６２で、２つの空間に隔て、バレル２６０の中央部内壁にバイパス溝２６３を凹設し、プランジャー２６４を押し込んだとき、後方空間２６５の溶解液２６６（例えば生理食塩水やブドウ糖）がバイパス溝２６３を通って前方空間２６７に進入し、凍結乾燥製剤２６８（例えば凍結乾燥された抗生物質）と混合されるようになっている。
【０００４】
【発明が解決しようとする課題】
しかし、アンプルやバイアルを用いる方法では、薬液容器とシリンジとの接続に金属針を必要としているため、操作者が注射針で怪我をするおそれがあり、また、アンプルカットの際に生じるガラス片や、バイアルのゴム栓を穿刺した際に生じるゴム片などの異物が薬液中に混入するおそれがある。さらに、その操作が煩雑であるため、注射に少なからず時間を要し、正確な量を吸引できない。また、ヒアルロン酸ナトリウムなどの粘度の高い薬液の場合、薬液容器からシリンジへの薬液の吸引には多大な時間と吸引力を要している。また、バイアル内の薬液を吸引する場合、吸引するにつれてバイアル内は減圧されるため、次第に吸引操作に力を要し、スムーズな吸引を行うことができない。
【０００５】
一方、プレフィルドシリンジでは、第１ガスケット２６１をバイパス溝２６３まで移動し、後方空間２６５の溶解液２６６の全量を前方空間２６７に進入させた後に、凍結乾燥製剤２６８と溶解液２６６とを十分に混合するには大きな空間が必要となる。しかし、第１ガスケット２６１がバイパス溝２６３まで移動した後に、プランジャー２６４を後方へ引いても、バイパス溝２６３を通って液が後方空間２６５へ逆流したり、第１ガスケット２６１と第２ガスケット２６２が別々に摺動したりするため、第１ガスケット２６１は、バイパス溝２６３より、バレル２６０の基端２６０ａの方向には移動できず、両薬剤の混合に必要な空間をバレル２６０内につくりだすことはできない。したがって、前方空間２６７の容積は、予め大きくとる必要があり、薬剤の容量の割にシリンジのサイズが大きくなるといった問題がある。
また、２成分を混合した後、さらに別の薬液を配合する必要が生じたとしても、プランジャー２６４を引いても第１ガスケット２６１はそれに連動して動かないため、新たな薬液をバレル２６０内に定量的に吸引することは困難である。さらに、ガスケットに含まれている添加剤、例えば硫黄や加硫促進剤などが保存中に溶解液中に溶出するおそれがある。さらに、同一バレル内に２種類の薬剤が収容されているため、製造時に別々に滅菌することができない。
【０００６】
本発明は、如上の事情に鑑みてなされたもので、２種類以上の薬剤を別々に滅菌でき、薬剤調製の際における操作者の怪我や異物混入のおそれがなく、簡便かつ短時間に薬剤調製操作の可能なプレフィルドシリンジキットを提供することを目的とする。
【０００７】
【課題を解決するための手段】
本発明者等は、上記課題を解決するため鋭意検討の結果、本発明に想到した。すなわち、本発明のプレフィルドシリンジキットは、先端にオス型ルアーテーパーの注射針接続部を有する第１バレルおよび、該第１バレル内に液密かつ摺動可能に挿入された、プランジャーを結合可能な第１ガスケットからなる、内部に第１薬剤が収容された第１シリンジと、前記注射針接続部と液密に接続可能なメス型ルアーテーパーの吐出口を有する第２バレルおよび、該第２バレル内に液密かつ摺動可能に挿入された、プランジャーを結合可能な第２ガスケットからなる、内部に第２薬剤が収容された第２シリンジとからなり、前記第１シリンジと前記第２シリンジとが、同軸上直列に配置されるとともに、前記注射針接続部と前記吐出口とが、封止手段により液密に封止されかつ、接続されてなるものである。
【０００８】
ここで、前記封止手段は、前記吐出口と嵌合するオス型ルアーテーパーの凸部を設けた先端と、前記注射針接続部と嵌合するメス型ルアーテーパーの凹部を設けた基端を有してなる略円筒形状の部材であることが好ましく、このとき、前記封止手段は、前記凸部に嵌合した前記吐出口を同心円状に取り囲むスカート部を先端に有してなり、前記吐出口は、前記凸部と嵌合するとともに、前記スカート部と嵌合していてもよい。
【０００９】
また、前記注射針接続部と前記吐出口とを接続したときに、前記注射針接続部の先端が当接することにより剥離するシール部材を、前記吐出口の基端円周部に溶着してもよく、このとき、前記注射針接続部と前記吐出口とを接続したときに、前記第２バレル内に突出する前記注射針接続部の先端部分に、軸方向にスリットを設けてもよい。
【００１０】
また、前記プランジャーを、前記第１ガスケットに予め結合していてもよい。
【００１１】
また、前記第１薬剤は固形製剤であり、前記第２薬剤は液剤であることが好ましい。
【００１２】
【発明の実施の形態】
次に、本発明の実施例を図面に基づいて説明する。
図１は、本発明の実施例を示す図である。（Ａ）は縦断面図であり、（Ｂ）は（Ａ）中のＡ′−Ａ′線断面図である。図１に示すように、本発明のプレフィルドシリンジキット１０は、先端にオス型ルアーテーパーの注射針接続部５１を有する第１バレル５０および、該第１バレル５０内に液密かつ摺動可能に挿入された、プランジャー７０を結合可能な第１ガスケット６０からなる、内部に第１薬剤Ｄが収容された第１シリンジ２０と、前記注射針接続部５１と液密に接続可能なメス型ルアーテーパーの吐出口８１を有する第２バレル８０および、該第２バレル８０内に液密かつ摺動可能に挿入された、プランジャーを結合可能な第２ガスケット９０からなる、内部に第２薬剤Ｌが収容された第２シリンジ３０とからなり、第１シリンジ２０と第２シリンジ３０とは同軸上直列に配置されるとともに、前記注射針接続部５１と前記吐出口８１とが、封止手段４０により液密に封止されかつ、接続されている。
【００１３】
ここで、注射針接続部５１はオス型ルアーテーパーに、前記吐出口８１は、前記オス型ルアーテーパーと嵌合するメス型ルアーテーパーになっている。ここでいうオス型ルアーテーパー、メス型ルアーテーパーとは、ＩＳＯ規格のものであり、一般に市販されている医療器具に採用されている６％オス型ルアーテーパー、６％メス型ルアーテーパーを指す。このような汎用型のルアーテーパーを接続部に採用することにより、必要に応じて、第１シリンジ２０と第２シリンジ３０をそれぞれ別々に三方活栓、輸液チューブなどの一般の医療器具に接続することができる。
【００１４】
ここで第１シリンジ２０としては、先端に注射針接続部５１を有する基端５０ａの開放された第１バレル５０と、この第１バレル５０の基端５０ａから第１バレル５０内に液密かつ摺動可能に挿入された第１ガスケット６０からなるシリンジが好適に採用され、第１バレル５０内の第１ガスケット６０の前方空間には、第１薬剤Ｄが収容される。第１薬剤Ｄは、固形製剤、液剤のいずれでもよいが、好ましくは固形製剤、より好ましくは凍結乾燥製剤である。第１バレル５０の基端５０ａには、指掛け用フランジ５２が設けられている。なお、第１バレル５０は、通常ガラスまたは、ポリエチレン、ポリプロピレン、ポリエチレンとポリプロピレンの混合物などのプラスチック材料で形成されるが、プラスチック材料は医療用材料として認められている透明性を有するものであれば、その素材は特に限定されない。
【００１５】
第１ガスケット６０は、ブチルゴムや熱可塑性エラストマーなどで形成され、基端にはメスネジ６１などの結合手段が設けられており、先端にオスネジ７１を設けたプランジャー７０を結合することができるようになっている。
なお、第１シリンジ２０に凍結乾燥製剤を収容する場合は、第１バレル５０内に凍結乾燥すべき薬剤を充填した後、第１バレル５０の基端５０ａに第１ガスケット６０を半打栓した状態で、第１バレル５０に凹設したバイパス溝５３から水分を蒸散させることにより凍結乾燥した後、第１ガスケット６０を第１バレル５０内の所定の位置まで真空打栓する。このとき、第１バレル５０内の第１ガスケット６０の前方空間は、凍結乾燥した製剤で満たされ、空隙は殆どなくなる。したがって、第１ガスケット６０は第１バレル５０の先端方向に位置することができるので、第１ガスケット６０にプランジャー７０を結合した状態で保管しても、プレフィルドシリンジキットの全長が長くなり過ぎることはない。
【００１６】
ここで、第２シリンジ３０としては、先端に吐出口８１を有する基端８０ａの開放された第２バレル８０と、この第２バレル８０の基端８０ａから第２バレル８０内に液密かつ摺動可能に挿入された第２ガスケット９０からなるシリンジが好適に採用され、第２バレル８０内の第２ガスケット９０の前方空間には、第２薬剤Ｌが収容される。ここで、第２薬剤Ｌは、液剤であることが好ましい。基端８０ａには指掛け用フランジ８２を設けることもできるが、第１バレル５０と異なり必須ではない。なぜなら、第２ガスケット９０は、吐出口８１からの吸引により摺動可能であるので、第２ガスケット９０にプランジャーを接続して押圧する必要は必ずしもなく、使用に際しては、第１シリンジ２０の注射針接続部５１に注射針（図示しない）を接続して注射用シリンジとして使用するため、第２シリンジ３０を注射用シリンジとして使用する場合は稀だからである。このように、ガスケット３０には、プランジャーを接続しない場合もあるため、第２ガスケット９０の基端には、プランジャーを接続するためのメスネジ９１を設ける必要は必ずしもない。しかし、第２薬剤Ｌが粘度の高い液剤のときは、第１シリンジ２０からの吸引力のみでは、第２バレル８０から第１バレル５０への液剤の移動が困難な場合もある。このようなときには、第２ガスケット９０にプランジャーを接続し、押圧により液剤を第１シリンジ５０に移動させることができる。第２ガスケット９０に接続するプランジャーとしては、第１ガスケット６０に結合するプランジャー７０を用いることが好ましく、これにより第２ガスケット９０用の新たなプランジャーを添付する必要がなくなる。
なお、第２バレル８０は、通常ガラスまたは、ポリエチレン、ポリプロピレン、ポリエチレンとポリプロピレンの混合物などのプラスチック材料で形成されるが、プラスチック材料は、医療用材料として認められている透明性を有するものであれば、その素材は特に限定されない。
【００１７】
ここで、封止手段４０は、オス型ルアーテーパーの凸部４１が設けられた先端および、メス型ルアーテーパーの凹部４２が設けられた基端とからなる略円筒状の部材であり、通常ブチルゴムや熱可塑性エラストマーなどの弾性材料から形成される。先端の凸部４１は第２シリンジ３０の吐出口８１に、基端の凹部４２は第１シリンジ２０の注射針接続部５１と、それぞれ液密に嵌合する。このように、注射針接続部５１と吐出口８１の両者を一つの封止手段４０で封止しているので、第１シリンジ２０と第２シリンジ３０にそれぞれ別の封止手段を設ける必要がない。したがって、製造コストも下げられ、廃棄物の数も少なくなる。
【００１８】
次に、本発明の他の実施例を説明する。
図２は、本発明の他の実施例の要部断面図であり、第１シリンジの注射針接続部の基端に設けられたオスネジと螺合するメスネジが、第２シリンジの吐出口の先端に設けられている。（Ａ）は、注射針接続部と吐出口とが封止手段を介して接続された状態であり、（Ｂ）は、注射針接続部と吐出口とが直接接続された状態を示している。
図２に示す本実施例のプレフィルドシリンジキットの各部の構成は、図１に示す実施例のプレフィルドシリンジキットと実質的に同一である。相違する点は、第１シリンジ１００の注射針接続部１０１の基端にオスネジ１０２が設けられており、第２シリンジ１１０の吐出口１１１の先端には、前記オスネジ１０２と螺合するメスネジ１１２が設けられている点にある。
このように、注射針接続部１０１と吐出口１１１とは、ルアーテーパーによる嵌合以外に、オスネジ１０２とメスネジ１１２との螺合によっても結合されるので、第１シリンジ１００と第２シリンジ１１０とを接続したときに、薬剤が漏洩したり、第１シリンジ１００と第２シリンジ１１０とが不用意に分離したりするおそれがなくなる。
なお、本実施例の封止手段２７０も、図１に示した実施例の封止手段４０と同様に先端の凸部２７１が吐出口１１１に液密に嵌合するとともに、基端の凹部２７２が注射針接続部１０１に液密に嵌合することにより、第１シリンジ１００と、第２シリンジ１１０とを接続している。図２では、封止手段２７０に吐出口１１１の先端を取り囲むスカート部２７３が設けられているが、このスカート部２７３は、必ずしも必要ではない。
【００１９】
さらに、本発明の他の実施例を説明する。
図３は、本発明の他の実施例の要部断面図であり、第１バレルの肩部に形成されたスカート部内面に設けられたメスネジと螺合するフランジ部が、第２シリンジの吐出口の先端に設けられている。（Ａ）は、注射針接続部と吐出口とが封止手段を介して接続された状態であり、（Ｂ）は、注射針接続部と吐出口とが直接接続された状態を示している。
図３に示す本実施例のプレフィルドシリンジキットの各部の構成は、図１に示す実施例のプレフィルドシリンジキットと実質的に同一である。相違する点は、第１シリンジ１２０のバレル肩部１２１に形成された、注射針接続部１２２を取り囲むスカート部１２３の内面に設けられたメスネジ１２４と螺合するフランジ部１３２が第２シリンジ１３０の吐出口１３１の先端に設けられている点にある。
このように、第１シリンジ１２０と第２シリンジ１３０とは、注射針接続部１２２と吐出口１３１どうしのルアーテーパーによる嵌合以外に、螺合によっても結合されるので、第１シリンジ１２０と第２シリンジ１３０とを接続したときに、薬剤が漏洩したり、第１シリンジ１２０と第２シリンジ１３０とが不用意に分離したりするおそれがなくなる。
なお、本実施例の封止手段２８０も、図１に示した実施例の封止手段４０と同様に先端の凸部２８１が吐出口１３１に液密に嵌合するとともに、基端の凹部２８２が注射針接続部１２２に液密に嵌合することにより、第１シリンジ１２０と、第２シリンジ１３０とを接続している。図３では、封止手段２８３に吐出口１３１の先端のフランジ部１３２を取り囲むスカート部２８３が設けられているが、このスカート部２８３は、必ずしも必要ではない。
【００２０】
さらに、本発明の他の実施例を説明する。
図４は、本発明の他の実施例の要部断面図であり、凸部と嵌合した吐出口を取り囲むスカート部が、封止手段の先端に設けられている。
図４に示す本実施例のプレフィルドシリンジキットの各部の構成は、図１に示す実施例のプレフィルドシリンジキットと実質的に同一である。相違する点は、封止手段１４０の凹部１４３が第１シリンジ２０の注射針接続部５１に嵌合するとともに、凸部１４１に嵌合した吐出口８１を同心円状に取り囲むスカート部１４２を先端に有してなり、凸部１４１と嵌合する吐出口８１は、スカート部１４２とも嵌合している点にある。
このように、封止手段１４０は、凸部１４１が吐出口８１の内側と嵌合するとともに、スカート部１４２が吐出口８１に外嵌しているので、輸送時や保管時において封止手段１４０から第２シリンジ３０が不用意に脱落することを防いでいる。
【００２１】
さらに、本発明の他の実施例を説明する。
図５は、本発明の他の実施例の要部断面図であり、封止手段が、凸部が設けられた先端と、凹部が設けられた基端を有する弾性部材を外筒に挿嵌した構成となっている。
図５に示す本実施例のプレフィルドシリンジキットの各部の構成は、図５に示す実施例のプレフィルドシリンジキットと実質的に同一である。相違する点は、封止手段１５０が、凸部１６１を設けた先端と、凹部１６２を設けた基端を有する弾性部材１６０を、硬質の合成樹脂よりなる外筒１７０に挿嵌した構成からなっている点にある。
このように、弾性部材１６０を硬質の外筒１７０に挿嵌することにより、弾性部材１６０の径方向への拡大を抑制することが可能なので、外筒１７０を用いていない図４の封止手段１４０と比較したときに弾性部材１６０の径方向の肉厚を薄くすることができ、プラスチック材料と比較して高価なブチルゴムなどから形成される弾性部材の製造コストを抑えることが可能となる。外筒１７０は、通常ポリプロピレン、ポリスチレン、高密度ポリエチレン、ポリカーボネート、ポリウレタン、ポリ塩化ビニル、ＡＢＳ樹脂など硬質の合成樹脂により形成される。
【００２２】
さらに、本発明の他の実施例を説明する。
図６は、本発明の他の実施例の要部断面図であり、プラスチック材料により形成された封止手段が、第１シリンジおよび第２シリンジに剥離可能に弱溶着されている。
図６に示す本実施例のプレフィルドシリンジキットの各部の構成は、図１に示す実施例のプレフィルドシリンジキットと実質的に同一である。相違する点は、封止手段１８０が、先端には凸部１８１および、凸部１８１に嵌合した吐出口１９１を取り囲むスカート部１８２を、基端には凹部１８３を有しており、この封止手段１８０は、プラスチック材料により形成されるとともに、封止手段１８０の基端は第１バレル５０の肩部５４と、スカート部１８２の先端は第２バレル１９０の肩部１９２と、それぞれ脆弱部２１０および２００を介して溶着されており、この脆弱部２１０および２００は、第１バレル５０、第２バレル１９０と封止手段１８０との相対的な回転操作により剥離可能となっている点にある。
封止手段１８０は、通常ポリエチレンやポリプロピレン、またはポリエチレンとポリプロピレンの混合物で形成され、脆弱部２１０および２００は、通常、第１バレル５０および第２バレル１９０に対して相溶性が悪い材料で形成される。例えば、第１バレル５０および第２バレル１９０がポリプロピレンを主成分として形成されている場合、脆弱部２１０および２００はポリエチレンとポリプロピレンとの混合物、ポリエチレンの共重合体またはグラフト化物を主成分とすることが好ましい。
ここで、第１バレル５０および第２バレル１９０が、ポリプロピレンを主成分として形成されている場合、封止手段１８０をポリエチレンとポリプロピレンとの混合物、ポリエチレンの共重合体またはグラフト化物を主成分として形成し、第１バレル５０の肩部５４および第２バレル１９０の肩部１９２に、第１バレル５０、第２バレル１９０と封止手段１８０との相対的な回転操作によって剥離可能なように直接弱溶着されてもよい。
このように、封止手段１８０の素材として、ブチルゴムや熱可塑性エラストマーなどのコストの高い弾性材料ではなく、安価なプラスチック材料を用いることにより、製造コストを低くすることができる
【００２３】
さらに、本発明の他の実施例を説明する。
図７は、本発明の他の実施例の要部断面図であり、吐出口の基端円周部にシール部材を剥離可能に溶着し、注射針接続部が第２バレル内部に突出する部分にスリットを設けている。（Ａ）は、注射針接続部と吐出口との接続前の状態を示し、（Ｂ）は、注射針接続部と吐出口とが接続された状態を示している。
図７に示す本実施例のプレフィルドシリンジキットの構成は、図１に示す実施例のプレフィルドシリンジキットと実質的に同一である。相違する点は、注射針接続部２２１と吐出口２３１とを接続したときに、注射針接続部２２１の先端が当接することにより剥離するシール部材２４０が、吐出口２３１の基端円周部２３２に溶着されている点、第１シリンジ２２０と第２シリンジ２５０を接続し、注射針接続部２２１と吐出口２３１とを嵌合させたときに、第２バレル２３０内に突出する注射針接続部２２１の先端部分に、軸方向にスリット２２２を設けている点にある。
吐出口２３１は、シール部材２４０を吐出口２３１の基端円周部２３２に剥離可能に弱溶着し、第２バレル２３０の内部と外部の連通を遮断することにより、液密に封止されている。シール部材２４０の素材としては、第２バレル２３０の形成材料と相溶性の悪い素材であれば特に限定されず、例えば、第２バレル２３０がポリプロピレンから形成されている場合、シール部材２４０の素材としては、ポリプロピレンとポリエチレンの混合物が好適に採用される。そして、このシール部材２４０は、第１シリンジ２２０と第２シリンジ２５０とを接続するときに、吐出口２３１と嵌合する注射針接続部２２１の先端が当接することにより、第２バレル２３０の内部に向けて剥離する。また、シール部材２４０が第２バレル２３０から剥離する際に、弱溶着部分が全て剥離しないように、溶着面の一部分を剥離し難く強溶着してもよい。
シール部材２４０は、注射針接続部２２１の先端が当接することにより剥離するようにするため、注射針接続部２２１を吐出口２３１に接続したときに、注射針接続部２２１の先端が第２バレル２３０の内部に突出するように、吐出口２３１の長軸方向の長さを注射針接続部２２１のそれよりも短く設定しなくてはならない。
さらに、注射針接続部２２１が、第２バレル２３０の内部に突出する部分に軸方向のスリット２２２を設けることにより、剥離したシール部材２４０が注射針接続部２２１の先端面に覆い被さるようなことがあっても、第１シリンジ２２０と第２シリンジ２５０の連通を遮断するようなことはなく、第２シリンジ２５０から第１シリンジ２２０への薬剤の移送が妨げられることはない。
このように、吐出口をシール部材で塞いでおくことにより、本発明に係るプレフィルドシリンジキットの製造に際して、第１シリンジを第２シリンジとは別々に滅菌することができるため、第１シリンジと第２シリンジとで異なる滅菌方法を選択可能である。また第１シリンジと第２シリンジとを接続するときに、収納した薬液が誤って漏出するようなこともない。
なお、本実施例に示した第１シリンジ２２０と第２シリンジ２５０とを接続する封止手段としては、図１〜図６に示したいずれの封止手段も採用可能である。ただし、図２に示した封止手段を用いるときには、注射針接続部の基端にオスネジを、吐出口の先端にメスネジを設けなくてはならず、図３に示した封止手段を用いるときには、吐出口の先端にフランジを設け、注射針接続部を取り囲むスカート部に該フランジと螺合するメスネジを設けなくてはならない。
【００２４】
【発明の効果】
以上述べたことから明らかなように、本発明によれば、２種類以上の薬剤を別々に滅菌でき、薬剤調製の際における操作者の怪我や異物混入のおそれがなく、簡便かつ短時間に薬剤調製操作の可能なプレフィルドシリンジキットを提供することができる。
【図面の簡単な説明】
【図１】本発明の実施例を示す図である。（Ａ）は縦断面図であり、（Ｂ）は（Ａ）中のＡ′−Ａ′線断面図である。
【図２】本発明の実施例を示す要部断面図である。（Ａ）は第１シリンジと第２シリンジとが封止手段を介して接続されており、（Ｂ）は第１シリンジと第２シリンジとが直接接続されている。
【図３】本発明の実施例を示す要部断面図である。（Ａ）は第１シリンジと第２シリンジとが封止手段を介して接続されており、（Ｂ）は第１シリンジと第２シリンジとが直接接続されている。
【図４】本発明の実施例を示す要部断面図である。
【図５】本発明の実施例を示す要部断面図である。
【図６】本発明の実施例を示す要部断面図である。
【図７】本発明の実施例を示す要部断面図である。（Ａ）は接続前の状態であり、（Ｂ）は接続後の状態である。
【図８】従来技術を示す縦断面図である。
【符号の説明】
１０　プレフィルドシリンジキット
２０、１００、１２０、２２０　第１シリンジ
３０、１１０、１３０、２５０　第２シリンジ
４０、２７０、２８０、１４０、１５０、１８０　封止手段
４１、１４１、１６１、１８１、２７１、２８１　凸部
４２、１４３、１６２、１８３、２７２、２８２　凹部
５０　第１バレル
５１、１０１、１２２、２２１　注射針接続部
６０　第１ガスケット
７０　プランジャー
８０、１９０、２３０　第２バレル
８１、１１１、１３１、１９１、２３１　吐出口
９０　第２ガスケット
１４２、１８２　スカート部
２２２　スリット
２３２　基端円周部
２４０　シール部材
Ｄ　第１薬剤
Ｌ　第２薬剤
【図１】
2004089446.tif 000003
【図２】
2004089446.tif 000004
【図３】
2004089446.tif 000005
【図４】
2004089446.tif 000006
【図５】
2004089446.tif 000007
【図６】
2004089446.tif 000008
【図７】
2004089446.tif 000009
【図８】
2004089446.tif 000010